(57)【要約】【課題】  エジェクト動作を円滑に行えるようにすること。【解決手段】  エジェクトモードのときにプレートトリガ１９をトラバースシャーシ３に前後進ａ，ｂ方向に移動不能にロックするロック機構５４が設けられており、該ロック機構５４が、トラバースシャーシ３に突設した左右一対のロック片５５と、プレートトリガ１９に貫設した大径孔５６ａ及び該大径孔５６ａに連通して左右方向ｃ，ｄに沿って延びるスリット５６ｂを備えた左右一対のロック孔５６とからなり、前記各スリット５６ｂの幅ｔ１が各ロック片５５の幅ｔ２と同一または若干広く設定されており、プレイモードでは各ロック片５５を各大径孔５６ａに遊嵌入させ、エジェクトモードに切り換えてプレートトリガ１９を一方向ｃに移動させることにより各スリット５６ｂを各ロック片５５に係合させるようにした。【選択図】        図９
2006024313.tif 000002
【特許請求の範囲】
【請求項１】
ディスク載置用トレイを前後進可能に支持するローダーシャーシの内部空間にトラバー
スシャーシとトラバースホルダとが配置され、該トラバースシャーシの四隅部が弾性変形
可能なダンパーを介してローダーシャーシとトラバースホルダとに連結され、該トラバー
スホルダがローダーシャーシの前部に前後進方向とは直交する左右方向に移動可能に配置
したカムスライダに係合され、前記トラバースシャーシの前部にターンテーブル付きスピ
ンドルモータが固定されると共に、該トラバースシャーシに光ピックアップが前後進可能
に配置され、その光ピックアップに一体連結したメインラックと、該メインラックに一定
範囲内移動可能に連結した状態で後進側に付勢されたサブラックとからなるダブルラック
が設けられ、該ダブルラックに対向してカムスライダに係合するプレートトリガが前記ト
ラバースホルダに左右方向に移動可能に配置され、前記ダブルラックに係脱可能に噛合す
る駆動ピニオンを正逆回転させるフィードモータがトラバースシャーシに設けられており
、プレイモードからエジェクトモードに切り換えることにより、前記フィードモータを駆
動して駆動ピニオンを正転させることによりダブルラックを介して光ピックアップを前進
させ、その光ピックアップが最前進位置に達した後、前進したサブラックをプレートトリ
ガに係合させることにより該プレートトリガを一方向に移動させ、そのプレートトリガに
よりカムスライダも同方向にスライドさせて該カムスライダとフィードモータとを同期し
て連動連結させ、そのフィードモータによりカムスライダを介してトラーバースシャーシ
を下動させ、トレイを前進させるようにしたディスク装置において、エジェクトモードの
ときに前記プレートトリガをトラバースシャーシに前後進方向に移動不能にロックするロ
ック機構が設けられており、該ロック機構が、トラバースシャーシに突設した左右一対の
ロック片と、プレートトリガに貫設した大径孔及び該大径孔に連通して左右方向に沿って
延びるスリットを備えた左右一対のロック孔とからなり、前記各スリットの幅が各ロック
片の幅と同一または若干広く設定されており、プレイモードでは各ロック片を各大径孔に
遊嵌入させ、エジェクトモードに切り換えてプレートトリガを一方向に移動させることに
より各スリットを各ロック片に係合させるようにしたことを特徴とするディスク装置。
【請求項２】
ディスク載置用トレイを前後進可能に支持するローダーシャーシの内部空間にトラバー
スシャーシとトラバースホルダとが配置され、該トラバースシャーシの四隅部が弾性変形
可能なダンパーを介してローダーシャーシとトラバースホルダとに連結され、該トラバー
スホルダがローダーシャーシの前部に前後進方向とは直交する左右方向に移動可能に配置
したカムスライダに係合され、前記トラバースシャーシに前後進可能に配置した光ピック
アップに一体連結したメインラックと、該メインラックに一定範囲内移動可能に連結した
状態で後進側に付勢されたサブラックとからなるダブルラックが設けられ、該ダブルラッ
クに対向してカムスライダに係合するプレートトリガが前記トラバースホルダに左右方向
に移動可能に配置されており、プレイモードからエジェクトモードに切り換えることによ
り、フィードモータを駆動して駆動ピニオン及びダブルラックを介して光ピックアップを
前進させ、その光ピックアップが最前進位置に達した後、前進したサブラックをプレート
トリガに係合させることにより該プレートトリガを一方向に移動させ、そのプレートトリ
ガによりカムスライダも同方向にスライドさせて該カムスライダとフィードモータとを同
期して連動連結させ、そのフィードモータによりカムスライダを介してトラーバースシャ
ーシを下動させ、トレイを前進させるようにしたディスク装置において、エジェクトモー
ドのときに前記プレートトリガをトラバースシャーシに前後進方向に移動不能にロックす
るロック機構が設けられていることを特徴とするディスク装置。
【請求項３】
前記ロック機構が、トラバースシャーシに突設した左右一対のロック片と、プレートト
リガに貫設した大径孔及び該大径孔に連通して左右方向に沿って延びるスリットを備えた
左右一対のロック孔とからなり、前記各スリットの幅が各ロック片の幅と同一または若干
広く設定されており、プレイモードでは各ロック片を各大径孔に遊嵌入させ、エジェクト
モードに切り換えてプレートトリガを一方向に移動させることにより各スリットを各ロッ
ク片に係合させるようにしたことを特徴とする請求項２に記載のディスク装置。
【発明の詳細な説明】
【技術分野】
【０００１】
本発明は、例えばＤＶＤレコーダなどのディスク装置に関し、エジェクト動作を円滑に
行えるようにしたものである。
【背景技術】
【０００２】
従来、ディスク装置の技術として特許文献１などに記載したものがあり、その一例を図
１２〜図１４に基づいて説明すると、これはＤＶＤレコーダであって、ディスクＤ載置用
トレイ１を前後進ａ，ｂ可能に支持するローダーシャーシ２の内部空間２ａにトラバース
シャーシ３とトラバースホルダ５とが配置され、トラバースシャーシ３の四隅部を弾性ゴ
ムからなる弾性変形可能なダンパー４を介してローダーシャーシ２とトラバースホルダ５
とに連結することにより、該トラバースシャーシ３が後側ダンパー４を中心にして上下動
ｅ，ｆ可能に形成され、トラバースホルダ５の前端起立部５ａに突設したカムピン６がロ
ーダーシャーシ２の前部に前後進ａ，ｂとは直行する左右方向ｃ，ｄに移動可能に配置し
たカムスライダ７のカム溝８に嵌入されている。
【０００３】
前記トラバースシャーシ３の前部にターンテーブル１０付きスピンドルモータ１１が固
定されると共に、そのトラバースシャーシ３に光ピックアップ１２がガイドシャフト１３
に沿って前後進ａ，ｂ可能に配置され、光ピックアップ１２に一体連結したメインラック
１４Ａと、該メインラック１４Ａに一定範囲内移動可能に連結した状態でばね（図示せず
）により後進ｂ側に付勢されたサブラック１４Ｂとからなるダブルラック１４が設けられ
、該ダブルラック１４に係脱可能に噛合する駆動ピニオン１５をウォ−ムギア機構１６を
介して正逆回転ｇ，ｈさせるフィードモータ１７がトラバースシャーシ３に設けられてい
る。
【０００４】
図１２に示すように、前端起立部５ａの下面中央にプレートトリガ１９が左右方向ｃ，
ｄに一定範囲内移動可能に配置され、該プレートトリガ１９の前端から起立する起立板１
９ａに突設したトリガピン２０がカムスライダ７のピン溝２１に嵌入され、カムスライダ
７の一端に切換ラック２３が形成され、該切換ラック２３に対向してローダーシャーシ２
に従動ピニオン２４が正逆回転ｉ，ｊ可能に配置され、該従動ピニオン２４がギヤ機構（
図示せず）を介してフィードモータ１７に連動連結され、その従動ピニオン２４に対向し
てトレイ１の下面にトレイラック２５が一体突設されている。なお、２６ａ，２６ｂはカ
ムスライダ７に突設した左右一対のガイドピンであって、トレイ１の下面に一体形成した
左右一対のガイド溝２７ａ，２７ｂに係合されている。図１３中、２８はローダーシャー
シ２の上部に架設した天板部２ｂの中央収納部に昇降可能に配置した磁石付きディスクホ
ルダである。
【０００５】
上記構成において、図１２及び図１３（ａ）は、プレイモードを示すものであって、ト
ラバースシャーシ３を上動ｆさせることにより、ターンテーブル１０とディスクホルダ２
８とでディスクＤを挟持し、スピンドルモータ１１の駆動によりターンテーブル１０を介
してディスクＤを高速回転させ、フィードモータ１７によりウォ−ムギア機構１６、駆動
ピニオン１５及びダブルラック１４を介して光ピックアップ１２を前後進ａ，ｂさせ、該
光ピックアップ１２によりディスクＤに記録されている映像情報の再生や録画または消去
をおこなう。この場合、トラバースシャーシ３が各ダンパー４により弾性的に支持されて
いるので、外部から加わる振動を吸収してトラバースシャーシ３を静止させ、また、駆動
ピニオン１５に対してメインラック１４Ａとサブラック１４Ｂとを同時に噛合させてバッ
クラッシュを解消する。
【０００６】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せ、図１４（ａ）に示すように、光ピックアップ１２がスピンドルモータ１１に当接して
最前進ａ位置に達したときに、駆動ピニオン１５とメインラック１４Ａとの噛合いを解消
してサブラック１４Ｂだけを前進ａさせ〔図１４（ｂ）参照〕、その前進ａしたサブラッ
ク１４Ｂをプレートトリガ１９に係合させることにより該プレートトリガ１９を一方向ｃ
にスライドさせ、これによりトリガピン２０を介してカムスライダ７も同方向ｃに一体的
にスライドさせて該カムスライダ７の切換ラック２３とフィードモータ１７により正転ｉ
される従動ピニオン２４とを同期して連動連結させる。
【０００７】
続いて、従動ピニオン２４及び切換ラック２３を介してフィードモータ１７によりカム
スライダ７を一方向ｃにスライドさせることにより、カム溝８及びカムピン６を介してト
ラバースホルダ５が下降され、前側ダンパー４を介してトラバースシャーシ３の前部が押
し下げられる。これにより、該トラバースシャーシ３が後側ダンパー４を中心に下動ｅさ
れ、ターンテーブル１０がトレイ１よりも下がって、該ターンテーブル１０上のディスク
Ｄがトレイ１に受け渡される。
【０００８】
前記カムスライダ７が一方向ｃにスライドされて左端に達する直前に、各ガイドピン２
６ａ，２６ｂが各ガイド溝２７ａ，２７ｂのコーナ斜面３０に押し付けられて、トレイ１
をわずかに前進ａさせ、トレイラック２５を従動ピニオン２４に噛合させ、それと同時に
、切換ラック２３が従動ピニオン２４から外れて縁が切れる。
【０００９】
次に、前記従動ピニオン２４の正転ｉにより、トレイラック２５を介してトレイ１が前
進ａされ〔図１３（ｂ）参照〕、その最前進ａ状態のトレイ１からディスクＤを取り出し
たり、そのトレイ１上に新たなディスクＤを載置した後、エジェクト釦を押すことにより
、上記と逆の手順でプレイモードに戻される。
【特許文献１】実開昭６４−８２５８号公報
【発明の開示】
【発明が解決しようとする課題】
【００１０】
上記従来の構成では、サブラック１４Ｂを支持するトラバースシャーシ３と、プレート
トリガ１９を支持するトラバースホルダ５とが前側２つのダンパー４で連結されており、
該両ダンパー４が弾性変形可能であるから、前記トラバースシャーシ３とトラバースホル
ダ５との間の対向間隔が固定されていない。従って、エジェクトモードで、前進ａしたサ
ブラック１４Ｂをプレートトリガ１９に係合させたときに発生する押圧力によりダンパー
４が弾性変形させられてトラバースシャーシ３が後進ｂ側に変位され、その変位した分だ
けカムスライダ７の一方向ｃへのスライドが遅れ、その遅れが切換ラック２３と従動ピニ
オン２４との同期にずれを生じさせて、該切換ラック２３の歯部と従動ピニオン２４の歯
部とが互いに衝突して噛み合わないことがあり、その結果、エジェクト動作が途中で停止
されることがあった。
【００１１】
本発明は、上記従来の欠点に鑑み、エジェクト動作を円滑に行えるようにしたディスク
装置を提供することを目的としている。
【課題を解決するための手段】
【００１２】
上記目的を達成するため、請求項１記載の発明は、ディスク載置用トレイを前後進可能
に支持するローダーシャーシの内部空間にトラバースシャーシとトラバースホルダとが配
置され、該トラバースシャーシの四隅部が弾性変形可能なダンパーを介してローダーシャ
ーシとトラバースホルダとに連結され、該トラバースホルダがローダーシャーシの前部に
前後進方向とは直交する左右方向に移動可能に配置したカムスライダに係合され、前記ト
ラバースシャーシの前部にターンテーブル付きスピンドルモータが固定されると共に、該
トラバースシャーシに光ピックアップが前後進可能に配置され、その光ピックアップに一
体連結したメインラックと、該メインラックに一定範囲内移動可能に連結した状態で後進
側に付勢されたサブラックとからなるダブルラックが設けられ、該ダブルラックに対向し
てカムスライダに係合するプレートトリガが前記トラバースホルダに左右方向に移動可能
に配置され、前記ダブルラックに係脱可能に噛合する駆動ピニオンを正逆回転させるフィ
ードモータがトラバースシャーシに設けられており、プレイモードからエジェクトモード
に切り換えることにより、前記フィードモータを駆動して駆動ピニオンを正転させること
によりダブルラックを介して光ピックアップを前進させ、その光ピックアップが最前進位
置に達した後、前進したサブラックをプレートトリガに係合させることにより該プレート
トリガを一方向に移動させ、そのプレートトリガによりカムスライダも同方向にスライド
させて該カムスライダとフィードモータとを同期して連動連結させ、そのフィードモータ
によりカムスライダを介してトラーバースシャーシを下動させ、トレイを前進させるよう
にしたディスク装置において、エジェクトモードのときに前記プレートトリガをトラバー
スシャーシに前後進方向に移動不能にロックするロック機構が設けられており、該ロック
機構が、トラバースシャーシに突設した左右一対のロック片と、プレートトリガに貫設し
た大径孔及び該大径孔に連通して左右方向に沿って延びるスリットを備えた左右一対のロ
ック孔とからなり、前記各スリットの幅が各ロック片の幅と同一または若干広く設定され
ており、プレイモードでは各ロック片を各大径孔に遊嵌入させ、エジェクトモードに切り
換えてプレートトリガを一方向に移動させることにより各スリットを各ロック片に係合さ
せるようにしたことを特徴としている。
【００１３】
請求項２に記載の発明は、ディスク載置用トレイを前後進可能に支持するローダーシャ
ーシの内部空間にトラバースシャーシとトラバースホルダとが配置され、該トラバースシ
ャーシの四隅部が弾性変形可能なダンパーを介してローダーシャーシとトラバースホルダ
とに連結され、該トラバースホルダがローダーシャーシの前部に前後進方向とは直交する
左右方向に移動可能に配置したカムスライダに係合され、前記トラバースシャーシに前後
進可能に配置した光ピックアップに一体連結したメインラックと、該メインラックに一定
範囲内移動可能に連結した状態で後進側に付勢されたサブラックとからなるダブルラック
が設けられ、該ダブルラックに対向してカムスライダに係合するプレートトリガが前記ト
ラバースホルダに左右方向に移動可能に配置されており、プレイモードからエジェクトモ
ードに切り換えることにより、フィードモータを駆動して駆動ピニオン及びダブルラック
を介して光ピックアップを前進させ、その光ピックアップが最前進位置に達した後、前進
したサブラックをプレートトリガに係合させることにより該プレートトリガを一方向に移
動させ、そのプレートトリガによりカムスライダも同方向にスライドさせて該カムスライ
ダとフィードモータとを同期して連動連結させ、そのフィードモータによりカムスライダ
を介してトラーバースシャーシを下動させ、トレイを前進させるようにしたディスク装置
において、エジェクトモードのときに前記プレートトリガをトラバースシャーシに前後進
方向に移動不能にロックするロック機構が設けられていることを特徴としている。
【００１４】
請求項３に記載の発明は、請求項２に記載の発明において、前記ロック機構が、トラバ
ースシャーシに突設した左右一対のロック片と、プレートトリガに貫設した大径孔及び該
大径孔に連通して左右方向に沿って延びるスリットを備えた左右一対のロック孔とからな
り、前記各スリットの幅が各ロック片の幅と同一または若干広く設定されており、プレイ
モードでは各ロック片を各大径孔に遊嵌入させ、エジェクトモードに切り換えてプレート
トリガを一方向に移動させることにより各スリットを各ロック片に係合させるようにした
ことを特徴としている。
【発明の効果】
【００１５】
請求項１に記載の発明は、実施の一形態（図１〜図１１参照）に対応するものであって
、これによれば、プレイモードでは、トラバースシャーシとトラバースホルダとがダンパ
ーを介して弾性的に連結されているので、そのダンパーにより外部から加わる振動を吸収
し、再生や録画または消去の各動作を円滑に行うことができ、このプレイモードからエジ
ェクトモードに切り換えると、ロック機構によりプレートトリガを介してトラバースシャ
ーシとトラバースホルダとが一体的に連結されてその両者間の対向間隔が固定されるので
、前進するサブラックをプレートトリガに係合させたときに、従来のようにダンパーの弾
性変形によりトラバースシャーシが後進側に変位させられてその変位した分だけカムスラ
イダの一方向へのスライドが遅れることがなくなり、そのプレートトリガに連動するカム
スライダとフィードモータとを確実に同期させて連動連結することができ、これによって
、同期のずれにより、エジェクト動作が途中で停止されるという事故を無くすことができ
る。
【００１６】
また、エジェクトモードに切り換えてプレートトリガを一方向にスライドさせるだけで
、該プレートトリガに形成したスリットをトラバースシャーシに突設した各ロック片に係
合させて、トラバースシャーシを後進側に変位しないように自動的にロックすることがで
きると共に、エジェクトモードからプレイモードに切り換えるだけで、トラバースシャー
シのロックを自動的に解除することができる。
【００１７】
請求項２に記載の発明は、基本形態に対応するものであって、これによれば、プレイモ
ードでは、トラバースシャーシとトラバースホルダとがダンパーを介して弾性的に連結さ
れているので、そのダンパーにより外部から加わる振動を吸収し、再生や録画または消去
の各動作を円滑に行うことができ、このプレイモードからエジェクトモードに切り換える
と、ロック機構によりプレートトリガを介してトラバースシャーシとトラバースホルダと
が一体的に連結されてその両者間の対向間隔が固定されるので、前進するサブラックをプ
レートトリガに係合させたときに、従来のようにダンパーの弾性変形によりトラバースシ
ャーシが後進側に変位させられてその変位した分だけカムスライダの一方向へのスライド
が遅れることがなくなり、そのプレートトリガに連動するカムスライダとフィードモータ
とを確実に同期させて連動連結することができ、これによって、同期のずれにより、エジ
ェクト動作が途中で停止されるという事故を無くすことができる。
【００１８】
請求項３に記載の発明によれば、エジェクトモードに切り換えてプレートトリガを一方
向にスライドさせるだけで、該プレートトリガに形成したスリットをトラバースシャーシ
に突設した各ロック片に係合させて、トラバースシャーシを後進側に変位しないように自
動的にロックすることができると共に、エジェクトモードからプレイモードに切り換える
だけで、トラバースシャーシのロックを自動的に解除することができる。
【発明を実施するための最良の形態】
【００１９】
図１〜図１１は本発明の実施の一形態であるＤＶＤレコーダを示すものであって、エジ
ェクトモードのときにプレートトリガ１９をトラバースシャーシ３に前後進ａ，ｂ方向に
移動不能にロックするロック機構５４が設けられ、サブラック１４Ｂとプレートトリガ１
９とを着脱可能に連結するための第１クラッチ機構３５と、従動ピニオン２４をフィード
モータ１７に着脱可能に連結するための第２クラッチ機構３６とが設けられている。上記
以外の構成は図１２〜図１４に示す構成とほぼ同じであるから、同一部分に同一符号を付
してその説明を省略する。
【００２０】
前記ロック機構５４は、図６〜図９に示すように、トラバースシャーシ３の下面に突設
した左右一対のロック片５５と、プレートトリガ１９に貫設した大径孔５６ａ及び該大径
孔５６ａに連通して左右方向ｃ，ｄに沿って延びるスリット５６ｂを備えた左右一対のロ
ック孔５６とからなり、前記各スリット５６ｂの幅ｔ１が各ロック片５５の幅ｔ２と同一
または若干広く設定されている。なお、５７はトラバースホルダ５の前端起立部５ａの下
面に突設されてプレートトリガ１９のガイド溝５８に係合することにより該プレートトリ
ガ１９を左右方向ｃ，ｄに一定範囲内移動可能に係止する左右一対のガイド片である。
【００２１】
上記構成において、プレイモードでは、図６及び図８に示すように、各ロック片５５を
各大径孔５６ａに遊嵌入させており、トラバースシャーシ３とトラバースホルダ５とがダ
ンパー４を介して弾性的に連結されているので、そのダンパー４により外部から加わる振
動を吸収し、再生や録画または消去の各動作を円滑に行うことができる。
【００２２】
プレイモードからエジェクトモードに切り換えたときには、図７及び図９に示すように
、プレートトリガ１９を一方向ｃに移動させることにより、各スリット５６ｂを各ロック
片５５に係合させ、トラバースシャーシ３を後進ｂ側に変位しないようにロックする。
【００２３】
前記第１クラッチ機構３５は、図８に示すように、トラバースシャーシ３の下面に枢支
軸４６を介して回動可能に枢着されたクラッチレバー４７を有し、該クラッチレバー４７
の基端に形成した基端扇形歯部４７ａがプレートトリガ１９の後側ラック１９ｂに噛合さ
れると共に、そのクラッチレバー４７の先端に形成した先端扇形歯部４７ｂがサブラック
１４Ｂの先端に形成した前側ラック１４ａに対向されており、プレイモードでは、クラッ
チレバー４７の先端扇形歯部４７ｂがサブラック１４Ｂの前側ラック１４ａから離間され
てクラッチオフの状態にされ（図８参照）、エジェクトモードでは、前進ａするサブラッ
ク１４Ｂの前側ラック１４ａが先端扇形歯部４７ｂに係合されてクラッチオン状態にされ
、プレートトリガ１９を一方向ｃにスライドさせる（図９参照）。
【００２４】
前記第２クラッチ機構３６は、図４に示すように、従動ピニオン２４と同心状に一体形
成した大径歯車４９の上部にクラッチ溝５０を部分的に形成し、該クラッチ溝５０にクラ
ッチ歯車５１の外周部を部分的に嵌入させたものであって、該クラッチ歯車５１は歯車機
構５２（図１参照）を介してフィードモータ１７に連動連結されており、図４に示すクラ
ッチオフ状態から従動ピニオン２４を正逆回転ｉ，ｊさせることにより、大径歯車４９を
クラッチ歯車５１に噛合させて、フィードモータ１７の動力を従動ピニオン２４に伝達す
る。
【００２５】
上記構成において、図１、図３及び図５の（ａ）は、プレイモードを示すものであって
、第１、第２のクラッチ機構３５，３６がオフ状態にされると共に、切換ラック２３が従
動ピニオン２４に噛合され、トラバースシャーシ３を上動ｆさせることにより、ターンテ
ーブル１０とディスクホルダ２８とでディスクＤを挟持し、スピンドルモータ１１の駆動
によりターンテーブル１０を介してディスクＤを高速回転させ、フィードモータ１７によ
りウォ−ムギア機構１６、駆動ピニオン１５及びダブルラック１４を介して光ピックアッ
プ１２を前後進ａ，ｂさせ（図８参照）、該光ピックアップ１２によりディスクＤに記録
されている映像情報の再生や録画または消去をおこなう。この場合、トラバースシャーシ
３が各ダンパー４により弾性的に支持されているので、外部から加わる振動を吸収してト
ラバースシャーシ３を静止させ、また、駆動ピニオン１５に対してメインラック１４Ａと
サブラック１４Ｂとを同時に噛合させてバックラッシュを解消する。
【００２６】
プレイモードからエジェクトモードに切り換えると、スピンドルモータ１１の駆動を停
止し、フィードモータ１７の駆動により、ウォ−ムギア機構１６を介して駆動ピニオン１
５を正転ｇさせることにより、ダブルラック１４を介して光ピックアップ１２を前進ａさ
せる。
【００２７】
次に、図９に示すように、光ピックアップ１２がスピンドルモータ１１に当接して最前
進ａ位置に達したときに、駆動ピニオン１５とメインラック１４Ａとの噛合いを解消して
サブラック１４Ｂだけを前進ａさせ、該サブラック１４Ｂの前側ラック１４ａをクラッチ
レバー４７の先端扇形歯部４７ｂに噛合させることにより、第１クラッチ機構３５をクラ
ッチオン状態とし、該クラッチレバー４７を回動させ、そのクラッチレバー４７の基端扇
形歯部４７ａ及び後側ラック１９ｂを介してプレートトリガ１９を一方向ｃにスライドさ
せ、これにより、トリガピン２０によりカムスライダ７も同方向ｃに一体的にスライドさ
せ〔図５（ｂ）参照〕、該カムスライダ７の切換ラック２３を介して従動ピニオン２４を
矢印ｉ方向に回転させて、大径歯車４９をクラッチ歯車５１に噛合させることにより、第
２クラッチ機構３６をクラッチオン状態とし、従動ピニオン２４をフィードモータ１７に
連動連結する。
【００２８】
この場合、ロック機構５４によりプレートトリガ１９を介してトラバースシャーシ３と
トラバースホルダ５とが一体的に連結されてその両者間３，５の対向間隔が固定されるの
で、前進ａするサブラック１４Ｂをクラッチレバー４７を介してプレートトリガ１９に係
合させたときに、従来のようにダンパー４の弾性変形によりトラバースシャーシ３が後進
ｂ側に変位させられてその変位した分だけカムスライダ７の一方向ｃへのスライドが遅れ
ることがなくなり、大径歯車４９の歯部とクラッチ歯車５１の歯部とを互いに同期して確
実に噛み合わせる（連動連結する）ことができ、これによって、同期のずれにより、エジ
ェクト動作が途中で停止されるという事故を無くすことができる。
【００２９】
続いて、フィードモータ１７で従動ピニオン２４を矢印ｉ方向にほぼ１周近く回転させ
ることにより、切換ラック２３を介してカムスライダ７を一方向ｃにスライドさせ、カム
溝８及びカムピン６を介してトラバースホルダ５が下降され〔図５（ｃ）参照〕、前側ダ
ンパー４を介してトラバースシャーシ３の前部が押し下げられる。これにより、該トラバ
ースシャーシ３が後側ダンパー４を中心に下動ｅされ、ターンテーブル１０がトレイ１よ
りも下がって、該ターンテーブル１０上のディスクＤがトレイ１に受け渡される（図１１
参照）。
【００３０】
前記カムスライダ７が一方向ｃにスライドされて左端に達する直前に、各ガイドピン２
６ａ，２６ｂが各ガイド溝２７ａ，２７ｂのコーナ斜面３０に押し付けられて、トレイ１
をわずかに前進ａさせ、トレイラック２５を従動ピニオン２４に噛合させ、それと同時に
、切換ラック２３が従動ピニオン２４から外れて縁が切れる（図１０参照）。
【００３１】
その後、前記従動ピニオン２４の正転ｉにより、トレイラック２５を介してトレイ１が
前進ａされ（図１１参照）、その最前進ａ状態のトレイ１からディスクＤを取り出したり
、そのトレイ１上に新たなディスクＤを載置した後、エジェクト釦を押すことにより、上
記と逆の手順でプレイモードに戻される。
【００３２】
この場合、エジェクトモードに切り換えてプレートトリガ１９を一方向ｃにスライドさ
せるだけで、該プレートトリガ１９に形成したスリット５６ｂをトラバースシャーシ３に
突設した各ロック片５５に係合させて、トラバースシャーシ３を後進ｂ側に変位しないよ
うに自動的にロックすることができると共に、エジェクトモードからプレイモードに切り
換えるだけで、トラバースシャーシ３のロックを自動的に解除することができる。
【産業上の利用可能性】
【００３３】
上記実施の形態では、ＤＶＤレコーダを例にあげて説明したが、これに限定されるわけ
ではなく、例えばＤＶＤプレーヤやＣＤプレーヤなどの各種のディスク装置にも適用され
る。
【図面の簡単な説明】
【００３４】
【図１】本発明の実施の一形態であるＤＶＤプレーヤのプレイモードを示す平面図である。
【図２】同裏面図である。
【図３】同縦断面図である。
【図４】同第２クラッチ機構付近の斜視図である。
【図５】（ａ）は同プレイモードを示す横断面図、（ｂ）はエジェクトモードの前半を示す横断面図、（ｃ）はエジェクトモードの後半を示す横断面図である。
【図６】（ａ）は同プレイモードにおけるロック機構によるロック解除状態の斜視図、（ｂ）はＡ−Ａ矢視図である。
【図７】（ａ）は同エジェクトモードにおけるロック機構によるロック状態の斜視図、（ｂ）はＢ−Ｂ矢視図である。
【図８】同プレイモードを示す要部の概略平面図である。
【図９】同エジェクトモードを示す要部の概略平面図である。
【図１０】同エジェクトモードを示す平面図である。
【図１１】同エジェクトモードを示す縦断面図である。
【図１２】従来例を示す平面図である。
【図１３】（ａ）はプレイモードを示す縦断面図、（ｂ）はエジェクトモードを示す縦断面図である。
【図１４】（ａ）は同エジェクトモードの前半を示す概略平面図、（ｂ）はエジェクトモードの後半を示す概略平面図である。
【符号の説明】
【００３５】
１          トレイ
２          ローダーシャーシ
３          トラバースシャーシ
４          ダンパー
５          トラバースホルダ
７          カムスライダ
１１        スピンドルモータ
１２        光ピックアップ
１４        ダブルラック
１４Ａ      メインラック
１４Ｂ      サブラック
１５        駆動ピニオン
１７        フィードモータ
１９        プレートトリガ
２４        従動ピニオン
４９        大径歯車
５０        クラッチ溝
５１        クラッチ歯車
５４        ロック機構
５５        ロック片
５６        ロック孔
５６ａ      大径孔
５６ｂ      スリット
Ｄ          ディスク
ａ，ｂ      前後進
ｃ，ｄ      左右方向
ｅ，ｆ      上下動
【図１】
2006024313.tif 000003
【図２】
2006024313.tif 000004
【図３】
2006024313.tif 000005
【図４】
2006024313.tif 000006
【図５】
2006024313.tif 000007
【図６】
2006024313.tif 000008
【図７】
2006024313.tif 000009
【図８】
2006024313.tif 000010
【図９】
2006024313.tif 000011
【図１０】
2006024313.tif 000012
【図１１】
2006024313.tif 000013
【図１２】
2006024313.tif 000014
【図１３】
2006024313.tif 000015
【図１４】
2006024313.tif 000016